(57)【要約】  両電極から照射されるマイクロ波を組織照射するときに、スパークの問題があった。さらに、スパーク解消のために電極にセラミックス部材を使用した場合には、操作中に該セラミックスが脱落する問題があった。これらの問題を解決する医療用処置具を提供する。  第１電極（２）と第２電極（５）が閉じた状態において、マイクロ波印加用アンテナ同士が接触する構造又はマイクロ波受手用アンテナ同士が接触する構造を採用することにより、両電極（２，５）から照射されるマイクロ波を組織に効率的に照射することができる。
2020031994.tif 000002
【特許請求の範囲】
【請求項１】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極と該第２電極が閉じた状態において、該マイクロ波印加用アンテナ１と該マイクロ波印加用アンテナ２が接触する構造又は該マイクロ波受手用アンテナ１及び該マイクロ波受手用アンテナ２が接触する構造であり、
該第１電極及び該第２電極の両方からマイクロ波を照射可能である医療用処置具。
【請求項２】
前記中心導体は先端が２本の分岐した形状をしており、ここで、前記マイクロ波印加用アンテナ１及び前記マイクロ波印加用アンテナ２は該２本の分岐した中心導体と直接又は間接的に接続している請求項１に記載の医療用処置具。
【請求項３】
前記マイクロ波印加用アンテナ１及び前記マイクロ波印加用アンテナ２は前記外部導体とピンを介して接続している請求項１に記載の医療用処置具。
【請求項４】
前記第１電極において、前記マイクロ波印加用アンテナ１及び前記マイクロ波受手用アンテナ１は絶縁体又は誘電体を介して設置されており、並びに、前記第２電極において、前記マイクロ波印加用アンテナ２及び前記マイクロ波受手用アンテナ２は絶縁体又は誘電体を介して設置されている請求項１〜３のいずれか１に記載の医療用処置具。
【請求項５】
前記マイクロ波印加用アンテナ１の先端及び前記マイクロ波受手用アンテナ１の先端が接続している、並びに／又は、前記マイクロ波印加用アンテナ２の先端及び前記マイクロ波受手用アンテナ２の先端が接続している請求項１〜４のいずれか１に記載の医療用処置具。
【請求項６】
前記マイクロ波印加用アンテナ１の先端及び前記マイクロ波受手用アンテナ１の先端がピンを介して接続している、並びに／又は、前記マイクロ波印加用アンテナ２の先端及び前記マイクロ波受手用アンテナ２の先端がピンを介して接続している請求項１〜４のいずれか１に記載の医療用処置具。
【請求項７】
前記第１電極が固定電極であり、並びに、前記第２電極が可動電極である請求項１〜６のいずれか１に記載の医療用処置具。
【請求項８】
さらに、前記同軸ケーブルを有するシャフト部、及び、
該同軸ケーブルを接続するコネクタを有するグリップ部を有し、
ここで、該コネクタの回転により、前記先端部及び該シャフト部が回転可能である請求項１〜７のいずれか１に記載の医療用処置具。
【請求項９】
さらに、シャフト回転用ノブが前記シャフト部に設置されている請求項８に記載の医療用処置具。
【請求項１０】
前記第１電極及び前記第２電極ではセラミックを使用しない請求項１〜９のいずれか１に記載の医療用処処置具。
【請求項１１】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、並びに
該第１電極と該第２電極が閉じた状態において、該マイクロ波印加用アンテナ１と該マイクロ波印加用アンテナ２が接触する構造であり、
該第１電極及び該第２電極の両方からマイクロ波を照射可能である医療用処置具。
【請求項１２】
前記第１電極及び前記第２電極ではセラミックを使用しない請求項１１に記載の医療用処処置具。
【発明の詳細な説明】
【技術分野】
【０００１】
本発明は、両電極からマイクロ波を照射可能であることを特徴とする医療用処置具に関する。
本出願は、参照によりここに援用されるところの日本出願2018-147403号優先権を請求する。
【背景技術】
【０００２】
（マイクロ波を使用したデバイス）
マイクロ波は、消化器、肝臓、膀胱、前立腺、子宮、血管、腸管等の生体組織を低温で凝固（固定化）できることが知られている。そして、マイクロ波を用いた手術支援用の種々のデバイスが開発されている。【０００３】
（先行文献）
マイクロ波を使用したデバイスとして、以下の複数が報告されている。
特許文献１は、「入力線路と導通する入力端子の近傍で２本に分岐すると共に、それぞれの出力端子において対応する出力線路と導通する２本の分配線路を備える電力分配回路であって、前記２本の分配線路の出力端子のそれぞれに導通する２本の接続線路と、前記２本の接続線路の間に配置されるアイソレーション抵抗と、前記２本の分配線路の分岐部に設けられるスタブと、を備えることを特徴とする電力分配回路」を開示している。
本特許文献は、マイクロ波の分配回路を開示しているが、本発明の医療用処置具の構成を開示していない。【０００４】
特許文献２は、「生体組織にマイクロ波を照射するための電極部を有する手術器本体と、前記手術器本体に内蔵され、マイクロ波を発振するマイクロ波発振器と、前記手術器本体に内蔵され、前記電極部と前記マイクロ波発振器との間に接続されており、前記マイクロ波発振器からのマイクロ波を増幅させて前記電極部に送る増幅器と、を備えた、マイクロ波手術器であって、前記増幅器と前記電極部との間に接続され、前記増幅器の出力インピーダンスと前記生体組織のインピーダンスとを整合させるための可変出力整合回路と、前記増幅器と電極部との間における反射電力及び入射電力を別々に検出する検出回路と、前記検出回路により検出された入射電力および反射電力の値に基づいて前記可変出力整合回路を制御する制御手段と、をさらに備えた、マイクロ波手術器。」を開示している。
本特許文献は、増幅器の出力インピーダンスと生体組織のインピーダンスとを整合させるための可変出力整合回路を開示しているが、本発明の医療用処置具の両電極からマイクロ波を照射可能であること及び電極の構成を開示していない。【０００５】
特許文献３は、「互いに関して旋回可能でその間の間隙を開閉する１組の顎要素、前記間隙へ隣接する前記１組の顎要素の一方に取り付けられた第１伝送線路構造、前記第１伝送線路構造に対向して前記間隙へ隣接する前記１組の顎要素の他方に取り付けられた第２伝送線路構造、マイクロ波周波数エネルギーを伝達する同軸ケーブル、及び前記同軸ケーブルの先端側にパワー・スプリッタ、を備え、前記パワー・スプリッタは、前記第１伝送線路構造及び前記第２伝送線路構造間で前記同軸ケーブルにより伝達された前記マイクロ波周波数エネルギーを分割するように配列され、各前記第１伝送線路構造及び前記第２伝送線路構造は、不平衡な損失伝送線路からなり、進行波として前記マイクロ波エネルギーを支援し、各前記第１伝送線路構造及び前記第２伝送線路構造は、前記マイクロ波エネルギーへ非共振である前記進行波沿いに電気長を有する、電気外科鉗子」を開示している。
本特許文献は、両電極からマイクロ波を照射可能であることを開示しているが、本発明の医療用処置具の電極の構成を開示していない。【０００６】
以上により、先行特許文献は、本発明の両電極からマイクロ波が効率的に照射される電極構造を開示又は示唆をしていない。
【先行技術文献】
【特許文献】
【０００７】
【特許文献１】特開平１１−３３０８１３
【特許文献２】特開２０１２−１１５３８４
【特許文献３】特表２０１６−５３３８６２
【発明の概要】
【発明が解決しようとする課題】
【０００８】
両電極から照射されるマイクロ波を組織に効率的に照射することは困難であり、スパークの問題があった。さらに、スパーク解消のために電極にセラミック部材を使用した場合には、操作中に該セラミックが脱落する問題があった。
【課題を解決するための手段】
【０００９】
本発明者らは、上記課題を解決するために鋭意研究を重ねた結果、第１電極と第２電極が閉じた状態において、マイクロ波印加用アンテナ同士が接触する構造又はマイクロ波受手用アンテナ同士が接触する構造を採用することにより、両電極から照射されるマイクロ波を組織に効率的に照射することができることを見出して、本発明を完成した。【００１０】
すなわち本発明は、以下からなる。
１．医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極と該第２電極が閉じた状態において、該マイクロ波印加用アンテナ１と該マイクロ波印加用アンテナ２が接触する構造又は該マイクロ波受手用アンテナ１及び該マイクロ波受手用アンテナ２が接触する構造であり、
該第１電極及び該第２電極の両方からマイクロ波を照射可能である医療用処置具。
２．前記中心導体は先端が２本の分岐した形状をしており、ここで、前記マイクロ波印加用アンテナ１及び前記マイクロ波印加用アンテナ２は該２本の分岐した中心導体と直接又は間接的に接続している前項１に記載の医療用処置具。
３．前記マイクロ波印加用アンテナ１及び前記マイクロ波印加用アンテナ２は前記外部導体とピンを介して接続している前項１に記載の医療用処置具。
４．前記第１電極において、前記マイクロ波印加用アンテナ１及び前記マイクロ波受手用アンテナ１は絶縁体又は誘電体を介して設置されており、並びに、前記第２電極において、前記マイクロ波印加用アンテナ２及び前記マイクロ波受手用アンテナ２は絶縁体又は誘電体を介して設置されている前項１〜３のいずれか１に記載の医療用処置具。
５．前記マイクロ波印加用アンテナ１の先端及び前記マイクロ波受手用アンテナ１の先端が接続している、並びに／又は、前記マイクロ波印加用アンテナ２の先端及び前記マイクロ波受手用アンテナ２の先端が接続している前項１〜４のいずれか１に記載の医療用処置具。
６．前記マイクロ波印加用アンテナ１の先端及び前記マイクロ波受手用アンテナ１の先端がピンを介して接続している、並びに／又は、前記マイクロ波印加用アンテナ２の先端及び前記マイクロ波受手用アンテナ２の先端がピンを介して接続している前項１〜４のいずれか１に記載の医療用処置具。
７．前記第１電極が固定電極であり、並びに、前記第２電極が可動電極である前項１〜６のいずれか１に記載の医療用処置具。
８．さらに、前記同軸ケーブルを有するシャフト部、及び、
該同軸ケーブルを接続するコネクタを有するグリップ部を有し、
ここで、該コネクタの回転により、前記先端部及び該シャフト部が回転可能である前項１〜７のいずれか１に記載の医療用処置具。
９．さらに、シャフト回転用ノブが前記シャフト部に設置されている前項８に記載の医療用処置具。
１０．前記第１電極及び前記第２電極ではセラミックを使用しない前項１〜９のいずれか１に記載の医療用処処置具。
１１．医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、並びに
該第１電極と該第２電極が閉じた状態において、該マイクロ波印加用アンテナ１と該マイクロ波印加用アンテナ２が接触する構造であり、
該第１電極及び該第２電極の両方からマイクロ波を照射可能である医療用処置具。
１２．前記第１電極及び前記第２電極ではセラミックを使用しない前項１１に記載の医療用処処置具。
【発明の効果】
【００１１】
本発明の医療用処置具は、両電極から照射されるマイクロ波を組織に効率的に照射することができる。
【図面の簡単な説明】
【００１２】
【図１】本発明の医療用処置具（マイクロ波印加用アンテナ同士が接触する構造）の先端部を上面から見た切断図（矢印の方向（長軸方向）が先端側であり、反対方向が末端側）。
【図２】本発明の医療用処置具の先端部の両電極の開閉状態を示した図。A：電極が閉じた状態。B：。電極が開いた状態
【図３】本発明の医療用処置具の先端部の先端図。A：両電極では、マイクロ波印加用アンテナとマイクロ波受手用アンテナが分離されている。B：両電極では、マイクロ波印加用アンテナとマイクロ波受手用アンテナが一体化（接続）されている。C：両電極では、マイクロ波印加用アンテナとマイクロ波受手用アンテナがピンを介して接続されている。
【図４】本発明の別態様の医療用処置具（マイクロ波受手用アンテナ同士が接触する構造）の先端部の上面から見た切断図（矢印の方向（長軸方向）が先端側であり、反対方向が末端側）。
【図５】本発明の医療用処置具の全体図。
【発明を実施するための形態】
【００１３】
以下、本発明について図面を参照して説明するが、本発明は図面に記載された医療用処置に限定されるものではない。
【００１４】
（医療用処置具）
本発明の医療用処置具（１００）は、両電極から組織にマイクロ波を照射することが可能なマイクロ波照射器具（特に、マイクロ波照射手術器具）に関する（参照：図１〜５）。
本発明の医療用処置具（１００）は、少なくとも以下の先端部（１）を含む。
マイクロ波印加用アンテナ１（２）及びマイクロ波受手用アンテナ１（３）を含む第１電極（４）。
第１電極（４）に対向して配置されたマイクロ波印加用アンテナ２（５）及びマイクロ波受手用アンテナ２（６）を含む第２電極（７）。
中心導体（１０）及び外部導体（９）を含む同軸ケーブル（８）。ここで、中心導体（１０）はマイクロ波印加用アンテナ１（２）及びマイクロ波印加用アンテナ２（５）に直接又は間接的に接続しており、並びに、外部導体（９）はマイクロ波受手用アンテナ１（３）及びマイクロ波受手用アンテナ２（６）に直接又は間接的に接続している。
本発明の医療用処置具（１００）は、第１電極（４）と第２電極（７）が閉じた状態において、マイクロ波印加用アンテナ１（２）とマイクロ波印加用アンテナ２（５）が接触する構造又はマイクロ波受手用アンテナ１（３）及びマイクロ波受手用アンテナ２（６）が接触する構造であり（参照：図２A）、かつ第１電極（４）及び第２電極（７）の両方からマイクロ波を照射可能である。
外部導体（９）とマイクロ波受手用アンテナ１（３）及びマイクロ波受手用アンテナ２（６）の接続方法の一つの例として、ピン（１２）を介して接続している。これにより、マイクロ波受手用アンテナ１（３）及びマイクロ波受手用アンテナ２（６）の両方又は片方は可動できるので、第１電極（４）及び／又は第２電極（７）を可動することができる。
本発明でのピン（１２）の例示として、特に限定されないが、２以上の部材を直接又は間接的に結合できる形状、又は、ピン（１２）を軸として２以上の部材を回転可能にすることができる形状であれば特に限定されない。
中心導体（１０）とマイクロ波印加用アンテナ１（２）及びマイクロ波印加用アンテナ２（５）の接続方法の一つの例として、中心導体（１０）は先端が２本の分岐した形状をした２股フォーク形状でおり、マイクロ波印加用アンテナ１（２）及びマイクロ波印加用アンテナ２（５）は、それぞれ、２本の分岐した中心導体（１０）と直接又は間接的に接続している。なお、マイクロ波印加用アンテナ１（２）及びマイクロ波印加用アンテナ２（５）は、それぞれ、誘電体（絶縁体）（１１）を介して、マイクロ波受手用アンテナ１（３）及びマイクロ波受手用アンテナ２（６）と分離されている。
【００１５】
本発明の医療用処置具（１００）は、第１電極（４）及び第２電極（７）である両電極間の隙間に組織を把持できるように可動であれば特に限定されないが、例えば鉗子、鑷子を例示することができる（参照：図２）。鉗子の例としては、本発明で使用する鉗子は、自体公知の鉗子を使用可能であり、ケリー鉗子、コッヘル鉗子、ペアン鉗子、アリス鉗子等を例示することができるが、特に限定されない。
【００１６】
（照射マイクロ波）
本発明の医療用処置具（１００）の同軸ケーブル（８）に伝送されるマイクロ波は、特に、限定されないが、３００MHz〜３００GHz（波長：1m〜1mm）、好ましくは、０．９GHz〜３０GHzである。なお、伝送方法は、自体公知の方法、例えば、自体公知のマイクロ波を発振するマイクロ波発振器に接続すること、又は、該発振器を医療用処置具（１０１）に内蔵することにより容易に達成することができる。
なお、本発明において使用される電力は０．１Ｗ〜２００Ｗ、好ましくは１．０Ｗ〜８０Ｗである。
【００１７】
（同軸ケーブル）
本発明で用いられる同軸ケーブル（８）は、例えば、銅からなる導電体の中心導体と、中心導体を覆う絶縁体又は誘電体（例えば、テフロン（登録商標）、ポリエチレン等からなる）のシールドチューブと、銅、ステンレス、真鍮等からなる外部導体（導電体）のアースパイプ又は編組銅線からなる。
なお、同軸ケーブル（８）は、自体公知のセミリジット同軸ケーブルでも良い。
【００１８】
（アンテナ）
本発明のマイクロ波印加用アンテナ１（２）及びマイクロ波印加用アンテナ２（５）は、マイクロ波を供給することができる材質であれば特に、限定されない。例えば、銀、銅、金、鉄、チタン、ステンレス、リン青銅又は真鍮等広く導電性材料が使用可能である。好適には、銀、銅、金、ステンレス、真鍮等が例示される。
本発明のマイクロ波受手用アンテナ１（３）及びマイクロ波受手用アンテナ２（６）は、マイクロ波を受けることができる材質であれば特に、限定されない。例えば、銀、銅、金、鉄、チタン、ステンレス、リン青銅又は真鍮等広く導電性材料が使用可能である。好適には、銀、銅、金、ステンレス、真鍮等が例示される。
アンテナの形状は、特に限定されないが、円錐、三角錐、四角錐、円柱、四角柱、三角柱、球、立方体、直方体、刃形状、丸型、棒状、のこぎり歯形状等が例示される。さらに、アンテナの内表面（特に、組織との接触面）は、平面型、凹凸型等が広く適用可能である。
本発明のマイクロ波印加用アンテナの具体的な構成は、四角柱であり、組織との接触面は組織が滑りにくいようにのこぎり歯形状であり、マイクロ波受手用アンテナの具体的な構成は、四角柱であり、組織との接触面は組織が滑りにくいようにのこぎり歯形状であってもよい。
【００１９】
（電極）
本発明の第１電極（４）はマイクロ波印加用アンテナ１（２）及びマイクロ波受手用アンテナ１（３）を含む。本発明の第２電極（７）はマイクロ波印加用アンテナ２（５）及びマイクロ波受手用アンテナ２（６）を含む。
さらに、第１電極（４）及び第２電極（７）は、両電極間の隙間に組織を把持できるように可動である構成（特に、鉗子）、さらに必要に応じて、凝固機能及び／又は切断機能を有すれば特に限定されない。また、第１電極（４）又は第２電極（７）のいずれか又は両方を固定電極又は可動電極とすることができる。
電極は、組織との接触において、凝固組織が付着し難いコーティングが一部又は全部にされていることがより好適である。コーティングは、金、テフロン系部材等で行なわれる。これにより、凝固後の組織が付着することなく、連続的に凝固、切断の処理が行える。なお、本発明での電極は、好ましくは、セラミック部材を使用しない。
本発明の第１電極（４）及び／又は第２電極（７）の先端部の効率的なマイクロ波照射可能な構成は、以下の通りである。
両電極では、マイクロ波印加用アンテナ（２、５）とマイクロ波受手用アンテナ（３、６）が分離（好ましくは末端から先端まで分離）されている（参照：図３A）。
両電極では、マイクロ波印加用アンテナ（２、５）とマイクロ波受手用アンテナ（３、６）が一体化（接続、好ましくは、マイクロ波印加用アンテナ（２、５）とマイクロ波受手用アンテナ（３、６）の先端側が一体化）されている（参照：図３B）。
一体化の例示として、マイクロ波印加用アンテナ（２、５）とマイクロ波受手用アンテナ（３、６）を一体の部品として製造することもできるし、両先端部分をマイクロ波照射に影響を与えない部材で蒸着しても良い。
両電極では、マイクロ波印加用アンテナ（２、５）とマイクロ波受手用アンテナ（３、６）がピン（１２）等を介して接続されている（参照：図３C）。
【００２０】
第１電極（４）において、マイクロ波印加用アンテナ１（２）及びマイクロ波受手用アンテナ１（３）は絶縁体（誘電体）（１１）を介して設置されている。例えば、絶縁体（誘電体）（１１）は、マイクロ波印加用アンテナ１（２）とマイクロ波受手用アンテナ１（３）に挟み込まれた形状を有する（参照：図１）。これにより、マイクロ波印加用アンテナ１（２）及びマイクロ波受手用アンテナ１（３）は一部又は全部が絶縁している。
第２電極（７）において、マイクロ波印加用アンテナ２（５）及びマイクロ波受手用アンテナ２（６）は絶縁体（誘電体）（１１）を介して設置されている。より詳しくは、絶縁体（誘電体）（１１）は、マイクロ波印加用アンテナ２（５）とマイクロ波受手用アンテナ２（６）に挟み込まれた形状を有する（参照：図１）。これにより、マイクロ波印加用アンテナ２（５）及びマイクロ波受手用アンテナ２（６）は一部又は全部が絶縁している。
絶縁体・誘電体の例示として、PEEK樹脂、テフロン（登録商標）、セラミック等を例示することができる。
【００２１】
（シャフト部）
本発明のシャフト部（２０）（参照：図５）は、自体公知の医療器具のシャフト部と同様な構造でも良いが、好ましくは、同軸ケーブル（８）を有する。さらに、シャフト部（２０）は、シャフト回転用ノブ（２１）を有しても良い。シャフト回転用ノブ（２１）を回転させることにより、先端部（１）及びシャフト部（２０）を回転させることができる。
【００２２】
（グリップ部）
本発明のグリップ部（３０）（参照：図５）は、自体公知の医療器具のグリップ部と同様な構造でも良いが、コネクタ（３１）、マイクロ波照射スイッチ（３２）及び電極可動用スイッチ（３３）を有しても良い。
コネクタ（３１）は、同軸ケーブル（８）と接続することにより、コネクタ（３１）の回転により、先端部（１）及びシャフト部（２０）が回転可能となる。
マイクロ波照射スイッチ（３２）は、マイクロ波照射のon/offだけでなく、強弱も調整可能である。
電極可動用スイッチ（３３）は、両電極による開閉を操作することができる。
【００２３】
以下、実施例により本発明を具体的に説明するが、本発明はこれらの実施例に限定されるものではない。
【実施例１】
【００２４】
（本発明の医療用処置具の実施例１）
本実施例では、図１に示すようなマイクロ波印加用アンテナ同士が接触する構造の医療用処置具である。
各アンテナはステンレスを使用し、絶縁体（誘電体）（１１）はPEEK樹脂を使用する。両電極では、マイクロ波印加用アンテナとマイクロ波受手用アンテナが分離されている（参照：図３Ａ）。
本実施例の医療用処置具で豚のレバーを凝固することにより、本実施例の医療用処置具はスパークを抑えることができ、均一にマイクロ波を照射できることを確認した。
【実施例２】
【００２５】
（本発明の医療用処置具の実施例２）
本実施例では、図４に示すようなマイクロ波受手用アンテナ同士が接触する構造の医療用処置具である。
各アンテナはステンレスを使用し、絶縁体（誘電体）（１１）はPEEK樹脂を使用する。両電極では、マイクロ波印加用アンテナとマイクロ波受手用アンテナが分離されている（参照：図３Ａ）。【００２６】
本発明の医療用処置具は、以下のいずれか１以上の効果を有する。
（１）両電極から照射されるマイクロ波を組織に効率的に照射することができる。
（２）両電極にセラミック部材を使用しなくてもスパークを抑えることができる。
（３）マイクロ波印加用アンテナの表面から実質的に均一にマイクロ波を照射することができる。
【産業上の利用可能性】
【００２７】
本発明では、両電極から照射されるマイクロ波を組織に効率的に照射することができる医療用処置具を提供できる。
【符号の説明】
【００２８】
１００：医療用処置具
１：先端部
２：マイクロ波印加用アンテナ１
３：マイクロ波受手用アンテナ１
４：第１電極（固定電極）
５：マイクロ波印加用アンテナ２
６：マイクロ波受手用アンテナ２
７：第２電極（可動電極）
８：同軸ケーブル
９：外部導体
１０：中心導体
１１：誘電体（絶縁体）
１２：ピン
２０：シャフト部
２１：シャフト回転用ノブ
３０：グリップ部
３１：コネクタ
３２：マイクロ波照射スイッチ
３３：電極可動用スイッチ
５０：上下刃の合わせ面
５１：同軸ケーブルの外部導体と電極の外部導体の接続箇所
５２：同軸ケーブルの中心導体と電極の中心導体の接続箇所
５３：内部でアンテナを接触させ、中心導体を分岐している箇所
【図１】
2020031994.tif 000003
【図２】
2020031994.tif 000004
【図３】
2020031994.tif 000005
【図４】
2020031994.tif 000006
【図５】
2020031994.tif 000007
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極と該第２電極が閉じた状態において、該マイクロ波印加用アンテナ１と該マイクロ波印加用アンテナ２が接触する構造又は該マイクロ波受手用アンテナ１及び該マイクロ波受手用アンテナ２が接触する構造であり、
該第１電極及び該第２電極の両方からマイクロ波を照射可能である医療用処置具。
【請求項２】
前記中心導体は先端が２本の分岐した形状をしており、ここで、前記マイクロ波印加用アンテナ１及び前記マイクロ波印加用アンテナ２は該２本の分岐した中心導体と直接又は間接的に接続している請求項１に記載の医療用処置具。
【請求項３】
前記マイクロ波印加用アンテナ１及び前記マイクロ波印加用アンテナ２は前記外部導体とピンを介して接続している請求項１に記載の医療用処置具。
【請求項４】
前記第１電極において、前記マイクロ波印加用アンテナ１及び前記マイクロ波受手用アンテナ１は絶縁体又は誘電体を介して設置されており、並びに、前記第２電極において、前記マイクロ波印加用アンテナ２及び前記マイクロ波受手用アンテナ２は絶縁体又は誘電体を介して設置されている請求項１〜３のいずれか１に記載の医療用処置具。
【請求項５】
前記マイクロ波印加用アンテナ１の先端及び前記マイクロ波受手用アンテナ１の先端が接続している、並びに／又は、前記マイクロ波印加用アンテナ２の先端及び前記マイクロ波受手用アンテナ２の先端が接続している請求項１〜４のいずれか１に記載の医療用処置具。
【請求項６】
前記マイクロ波印加用アンテナ１の先端及び前記マイクロ波受手用アンテナ１の先端がピンを介して接続している、並びに／又は、前記マイクロ波印加用アンテナ２の先端及び前記マイクロ波受手用アンテナ２の先端がピンを介して接続している請求項１〜４のいずれか１に記載の医療用処置具。
【請求項７】
前記第１電極が固定電極であり、並びに、前記第２電極が可動電極である請求項１〜６のいずれか１に記載の医療用処置具。
【請求項８】
さらに、前記同軸ケーブルを有するシャフト部、及び、
該同軸ケーブルを接続するコネクタを有するグリップ部を有し、
ここで、該コネクタの回転により、前記先端部及び該シャフト部が回転可能である請求項１〜７のいずれか１に記載の医療用処置具。
【請求項９】
さらに、シャフト回転用ノブが前記シャフト部に設置されている請求項８に記載の医療用処置具。
【請求項１０】
前記第１電極及び前記第２電極ではセラミックを使用しない請求項１〜９のいずれか１に記載の医療用処置具。
【請求項１１】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２に直接又は間接的に接続しており、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、並びに
該第１電極と該第２電極が閉じた状態において、該マイクロ波印加用アンテナ１と該マイクロ波印加用アンテナ２が接触する構造であり、
該第１電極及び該第２電極の両方からマイクロ波を照射可能である医療用処置具。
【請求項１２】
前記第１電極及び前記第２電極ではセラミックを使用しない請求項１１に記載の医療用処置具。
【請求項１３】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２にピンを介して接続しており、ここで、該接続により該第１電極及び／又は該第２電極は可動である、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、
該第１電極と該第２電極が閉じた状態において、該マイクロ波印加用アンテナ１と該マイクロ波印加用アンテナ２が接触する構造であり、並びに、
該第１電極のアンテナ及び該第２電極のアンテナの材質はステンレスである、
該第１電極及び該第２電極の両方からマイクロ波を照射可能である医療用処置具。
【請求項１４】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、ここで、該マイクロ波印加用アンテナ１の先端及び該マイクロ波受手用アンテナ１の先端が接続しており、及び、該マイクロ波印加用アンテナ２の先端及び該マイクロ波受手用アンテナ２の先端が接続している、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２にピンを介して接続しており、ここで、該接続により該第１電極及び／又は該第２電極は可動である、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、
該第１電極と該第２電極が閉じた状態において、該マイクロ波印加用アンテナ１と該マイクロ波印加用アンテナ２が接触する構造であり、並びに、
該第１電極のアンテナ及び該第２電極のアンテナの材質はステンレスである、
該第１電極及び該第２電極の両方からマイクロ波を照射可能である医療用処置具。
【請求項１５】
医療用処置具であって、
マイクロ波印加用アンテナ１及びマイクロ波受手用アンテナ１を含む第１電極、
該第１電極に対向して配置されたマイクロ波印加用アンテナ２及びマイクロ波受手用アンテナ２を含む第２電極、ここで、該マイクロ波印加用アンテナ１の先端及び該マイクロ波受手用アンテナ１の先端がピンを介して接続しており、及び、該マイクロ波印加用アンテナ２の先端及び該マイクロ波受手用アンテナ２の先端がピンを介して接続している、及び、
中心導体及び外部導体を含む同軸ケーブル、ここで、該中心導体は該マイクロ波印加用アンテナ１及び該マイクロ波印加用アンテナ２に直接又は間接的に接続しており、並びに、該外部導体は該マイクロ波受手用アンテナ１及び該マイクロ波受手用アンテナ２にピンを介して接続しており、ここで、該接続により該第１電極及び／又は該第２電極は可動である、を含む先端部を有し、
ここで、該第１電極において、該マイクロ波印加用アンテナ１及び該マイクロ波受手用アンテナ１は絶縁体又は誘電体を介して設置されており、並びに、該第２電極において、該マイクロ波印加用アンテナ２及び該マイクロ波受手用アンテナ２は絶縁体又は誘電体を介して設置されており、
該第１電極と該第２電極が閉じた状態において、該マイクロ波印加用アンテナ１と該マイクロ波印加用アンテナ２が接触する構造であり、並びに、
該第１電極のアンテナ及び該第２電極のアンテナの材質はステンレスである、
該第１電極及び該第２電極の両方からマイクロ波を照射可能である医療用処置具。
【国際調査報告】
2020031994.tif 000008
2020031994.tif 000009
2020031994.tif 000010
2020031994.tif 000011